(57)【特許請求の範囲】
【請求項１】
炊飯器本体と、前記炊飯器本体の内部に形成された鍋収納部に収納される鍋と、前記鍋を加熱する鍋加熱手段と、前記炊飯器本体の開口部を開閉可能な蓋本体と、前記蓋本体内に配置された送風手段と、前記送風手段の一方に連結された吸気口と、前記送風手段に設けられた前記送風手段の回転数を検知する回転数検知手段と、前記送風手段の一端を連結するとともに他端を外気と連通する排気口とした送風経路と、一端を前記送風経路と連結するとともに他端を前記鍋内と連通させた蒸気経路と、炊飯を制御する制御装置と、を備え、前記送風手段と前記送風経路を前記蓋本体の後部に組み込むとともに、前記排気口を前記蓋本体の上面に開口し、前記送風径路と前記排気口間の前記送風径路の径路全体覆う傾斜を有したメッシュを備え、前記制御装置には、前記送風手段の回転数があらかじめ設定された異常回転数を超えた時に報知する報知手段を有し、前記制御装置は、前記回転数検知手段の出力信号が所定の回転異常閾値を越えたときに、前記鍋加熱手段の通電を停止し、前記送風手段の回転数を継続して検出し、所定時間検出した後に前記報知手段により異常を報知する炊飯器。
【請求項２】
前記排気口の外面に傾斜面を有するリブを設け、前記メッシュは前記リブに溶着した請求項１に記載の炊飯器。
【発明の詳細な説明】
【技術分野】
【０００１】
本発明は、炊飯中に排出される蒸気の低温化をはかった炊飯器に関するものである。
【背景技術】
【０００２】
従来の炊飯器を、図４、図５において説明する。４０は炊飯器本体、４１は調理物を入れる鍋、４２は前記鍋を加熱する加熱手段、４３は鍋４１の開口部を閉止する蓋、４４は前記蓋４３内に設けられた蒸気通路で、一端を鍋４１の開口部空間と連結し、もう一方は排気口４５に連結され鍋４１内で発生した蒸気を外気へ放出させる。４６は送風手段で吸気口４７より外気を取り込み、炊飯中に排出される蒸気へ送風して蒸気の濃度を下げ、空気混合蒸気を蓋本体の前方に排出するようにしたもの（例えば、特許文献１参照）、あるいは空気混合蒸気を蓋本体の上方から排出するようにしたもの（例えば、特許文献２参照）、などが知られている。
【先行技術文献】
【特許文献】
【０００３】
【特許文献１】特許第１８２３１１９号公報
【特許文献２】特許第３５６０２０３号公報
【発明の概要】
【発明が解決しようとする課題】
【０００４】
しかしながら、前記従来の構成では、排気温度が高くなる異常状態になった場合でも動作が停止せずやけどの危険があった。
【０００５】
本発明は、前記従来の課題を解決するもので、蓋本体の大型化を抑制して蓋操作の使い勝手がよく、排気温度が高くなる異常状態になった場合、機器を確実に停止し、さらに安全性を高めた炊飯器を提供することを目的とする。
【課題を解決するための手段】
【０００６】
炊飯器本体と、炊飯器本体の内部に形成された鍋収納部に収納される鍋と、鍋を加熱する鍋加熱手段と、前記炊飯器本体の開口部を開閉可能な蓋本体と、前記蓋本体内に配置された送風手段と、前記送風手段の一方に連結された吸気口と、前記送風手段に設けられた前記送風手段の回転数を検知する回転数検知手段と、前記送風手段の一端を連結するとともに他端を外気と連通する排気口とした送風経路と、一端を前記送風経路と連結するとともに他端を前記鍋内と連通させた蒸気経路と、炊飯を制御する制御装置と、を備え、前記送風手段と送風経路を前記蓋本体の後部に組み込むとともに、前記排気口を前記蓋本体の上面に開口し、前記送風径路と前記排気口間の前記送風径路の径路全体覆う傾斜を有したメッシュを備え、前記制御装置には、前記送風手段の回転数があらかじめ設定された異常回転数を超えた時に報知する報知手段を有し、前記制御装置は、前記回転数検知手段の出力信号が所定の回転異常閾値を越えたときに、前記鍋加熱手段の通電を停止し、前記送風手段の回転数を継続して検出し、所定時間検出した後に前記報知手段により異常を報知する炊飯器である。
【０００７】
吸気口または排気口に異物が詰る等の現象が発生し、送風径路の抵抗が上昇すると送風手段から発生する気流が減少するため、排気口から排出される排気温度が上昇する。また、送風経路の抵抗が大きくなると送風手段の回転数が上昇する、即ち、排気口から排出される排気温度と送風手段の回転数には相関がある。したがって、排気温度が所定の温度になった時の送風手段の回転数を異常回転数と設定することで、送風手段の回転数が異常回転数より高くなった場合、排気温度が所定の温度になったと判断し報知手段より報知することで安全性を高めることができる。また、送風手段に回転数検知手段を設け回転数検知手段の出力信号が所定の回転異常閾値を越えたときに、加熱手段の通電を停止し、送風手段の回転数を継続して検出し、所定時間検出した後に報知することにより、吸気口または排気口に異物が詰る等の現象が発生して送風手段の回転異常閾値になった時、加熱手段の
通電を停止することで排気の温度があがることは無い。また、加熱手段の通電を止めることで発生する蒸気量が少なくなり、通風手段を所定時間継続させて動作させることで、メッシュ部に水滴が付着した露が落下しやすくなり、送風手段の回転数が下がる。回転数が異常回転数を下回った時は、通常の炊飯工程に復帰させることで誤検知を回避できる。
【０００８】
送風径路と排気口間の送風径路を閉止するメッシュを備えることによってコキブリ等害
虫の炊飯器内への侵入を防ぐことができるが、ユニット内で炊飯するなどして湿度の高い空気を吸い込んだ場合、メッシュ部に結露水が付着し、吸気口または排気口に異物が詰る等と同様の現象が生じることがある。メッシュ部を傾けることにより、メッシュに付着した水滴が落下し送風径路抵抗の増加が抑えられる。
【発明の効果】
【０００９】
本発明の炊飯器は、排気温度が高くなる異常状態になった場合、機器を確実に停止しさらに安全性を高めることができる。また、送風手段に回転数検知手段を設け回転数検知手段の出力信号が所定の回転異常閾値を越えたときに、加熱手段の通電を停止し、送風手段の回転数を継続して検出し、所定時間検出した後に報知することにより、吸気口または排気口に異物が詰る等の現象が発生して送風手段の回転異常閾値になった時、加熱手段の通電を停止することで排気の温度があがることは無い。また、加熱手段の通電を止めることで発生する蒸気量が少なくなり、通風手段を所定時間継続させて動作させることで、メッシュ部に水滴が付着した露が落下しやすくなり、送風手段の回転数が下がる。回転数が異常回転数を下回った時は、通常の炊飯工程に復帰させることで誤検知を回避できる。
【図面の簡単な説明】
【００１０】
【図１】本発明の第１の実施の形態における炊飯器側面の断面図
【図２】同炊飯器上面の部分断面図
【図３】同炊飯器の排気後部の断面斜視図
【図４】従来の炊飯器側面の断面図
【図５】従来の炊飯器上面の断面図
【発明を実施するための形態】
【００１１】
第１の発明は、炊飯器本体と、前記炊飯器本体の内部に形成された鍋収納部に収納される鍋と、前記鍋を加熱する鍋加熱手段と、前記炊飯器本体の開口部を開閉可能な蓋本体と、前記蓋本体内に配置された送風手段と、前記送風手段の一方に連結された吸気口と、前記送風手段に設けられた前記送風手段の回転数を検知する回転数検知手段と、前記送風手段の一端を連結するとともに他端を外気と連通する排気口とした送風経路と、一端を前記送風経路と連結するとともに他端を前記鍋内と連通させた蒸気経路と、炊飯を制御する制御装置と、を備え、前記送風手段と前記送風経路を前記蓋本体の後部に組み込むとともに、前記排気口を前記蓋本体の上面に開口し、前記送風径路と前記排気口間の前記送風径路の径路全体覆う傾斜を有したメッシュを備え、前記制御装置には、前記送風手段の回転数があらかじめ設定された異常回転数を超えた時に報知する報知手段を有し、前記制御装置は、前記回転数検知手段の出力信号が所定の回転異常閾値を越えたときに、前記鍋加熱手段の通電を停止し、前記送風手段の回転数を継続して検出し、所定時間検出した後に前記報知手段により異常を報知する炊飯器である。
【００１２】
吸気口または排気口に異物が詰る等の現象が発生し送風径路の抵抗が上昇すると送風手段から発生する気流が減少するため、排気口から排出される排気温度が上昇する。また、送風経路の抵抗が大きくなると送風手段の回転数が上昇する、即ち、排気口から排出され
る排気温度と送風手段の回転数には相関がある。したがって、排気温度が所定の温度になった時の送風手段の回転数を異常回転数と設定することで、前記送風手段の回転数が異常回転数より高くなった場合、排気温度が所定の温度になったと判断し報知手段より報知することで安全性を高めることができる。また、送風手段に回転数検知手段を設け回転数検知手段の出力信号が所定の回転異常閾値を越えたときに、加熱手段の通電を停止し、送風手段の回転数を継続して検出し、所定時間検出した後に報知することにより、吸気口または排気口に異物が詰る等の現象が発生して送風手段の回転異常閾値になった時、加熱手段の通電を停止することで排気の温度があがることは無い。また、加熱手段の通電を止めることで発生する蒸気量が少なくなり、通風手段を所定時間継続させて動作させることで、メッシュ部に水滴が付着した露が落下しやすくなり、送風手段の回転数が下がる。回転数が異常回転数を下回った時は、通常の炊飯工程に復帰させることで誤検知を回避できる。

【００１３】
送風径路と排気口間の送風径路を閉止するメッシュを備えることによってコキブリ等害虫の炊飯器内への侵入を防ぐことができるがユニット内で炊飯するなどして湿度の高い空気を吸い込んだ場合、メッシュ部に結露水が付着し、吸気口または排気口に異物が詰る等と同様の現象が生じることがある。メッシュ部を傾けることにより、メッシュに付着した水滴が落下し送風径路抵抗の増加が抑えられる。
【００１４】
第２の発明は、特に、第１の発明において、前記排気口の外面に傾斜面を有するリブを設け、前記メッシュは前記リブに溶着することにより、メッシュが排気口を確実に閉止することができ、ゴキブリ等の害虫が本体内に入ることを防止できるとともに、メッシュの取り付け強度が向上し信頼性が向上する。
【００１６】
以下、本発明の実施の形態について、図面を参照しながら説明する。なお、この実施の形態によって本発明が限定されるものではない。
【００１７】
（実施の形態１）
図１、図２は、本発明の実施の形態１における炊飯器を示している。
【００１８】
図に示すように、本実施の形態における炊飯器は、炊飯器本体１と、炊飯器本体１内部に形成された鍋収納部１ａに収納される鍋２と、炊飯器本体１の開口部を開閉可能に炊飯器本体１に取り付けられる蓋本体３と、蓋本体３の内側（鍋２の開口部を覆う側）に着脱自在に取り付けられて、鍋２の開口部を密閉可能な略円盤状の内蓋４と、鍋２を誘導加熱する鍋加熱装置５とを有している。
【００１９】
炊飯器本体１の鍋収納部１ａは、炊飯器本体１の上部開口の内周部に嵌合された略環状の上枠１ｂと、鍋２の形状に対応して有底円筒形状に形成され、上部開口側端部で上枠１ｂに一体的に接続されたコイルベース１ｃとで構成されている。
【００２０】
コイルベース１ｃの外周面には、鍋加熱装置５を構成する底内コイル５ａと底外コイル５ｂとが取り付けられている。底内コイル５ａは、コイルベース１ｃを介して鍋２の底部の中央部周囲に対向するように配置されており、底外コイル５ｂは、コイルベース１ｃを介して鍋２の底部のコーナー部に対向するように配置されている。
【００２１】
コイルベース１ｃの底部の中央部分には開口が設けられており、当該開口部分には、鍋２の温度を測定するための鍋温度検知装置の一例である鍋温度センサ６が鍋２の底部に当接可能に配置されている。
【００２２】
炊飯器本体１内には、各部及び各装置を駆動制御して炊飯動作を行う制御装置７が設置されている。制御装置７は、例えば蓋本体３に設けられた操作パネル（図示せず）を使用して行った使用者の指示に応じて、各部及び各装置の駆動制御を行う。
【００２３】
炊飯器本体１の前壁上部（図１の左側上部）には、蓋本体３のフック８に係合可能なフック１ｄが設けられている。フック１ｄと上枠１ｂとの間にはバネ１ｅが設けられている。フック１ｄは、バネ１ｅにより前方（図１の左側）に付勢されている。
【００２４】
蓋本体３には、蓋温度検知装置の一例である内蓋温度センサ９と、内蓋加熱装置１０と、ヒンジ軸Ａと、ファンなどよりなる送風手段１１と、送風手段吸気側１１ａと外気を連通させる吸気口１２と、送風手段１１からの気流を蓋本体３外側へ導出する排気口１３とを連通接続する送風経路１５と、鍋２と送風経路１５とを連通接続する蒸気経路１６とが設けられている。また、送風手段１１には送風手段１１の回転数を知らせるパルス出力をだす出力手段１１ｃ（図示せず）を備えている。
【００２５】
内蓋加熱装置１０は、蓋本体３内に設置され、制御装置７の制御により内蓋４を誘導加熱するよう構成されている。ヒンジ軸Ａは、蓋本体３の開閉軸であり、炊飯器本体１の上枠１ｃに両端部を回動自在に固定されている。蓋本体３はヒンジ軸Ａの近傍に設けた回動バネ（図示せず）により回動する。送風手段１１および送風経路１５は、蓋本体３の後部
でヒンジ軸Ａに近い場所に組み込まれて配置されている。吸気口１２は蓋本体３の横側面に複数のスリット上の穴で構成されている。
【００２６】
排気口１３は、吸気口１２とは対面の蓋本体３の後部天面に開口しており、かつ排気口１３には、傾斜したリブ１３ａを設けこのリブ１３ａを閉止するようにしてメッシュ１４が溶着されている。メッシュの穴は１□以上で、ほこり等が詰まりにくい大きさにするとともに、５□以下に設定し、ゴキブリ等の害虫が送風径路１５内に侵入することを防止するものである。
【００２７】
送風経路１５は、略直線状に送風手段１１と排気口１３を連結しており、断面積もほぼ均一である。蒸気経路１６は、鍋２内の余分な蒸気を送風経路１５へと排出できるように、一端を内蓋４の蒸気口４ａと連通接続し、他端を送風経路１５の排気口１３と送風手段１１との間の下部の一部と連通接続している。
【００２８】
内蓋４の一部は、誘導加熱が可能なステンレスなどの金属で構成されており、蒸気を鍋２外へと排出するために、複数の穴からなる蒸気口４ａを設けている。内蓋４の外周部の鍋２側の面には、蓋本体３が閉状態にあるとき、鍋２と密接する略環状の内蓋パッキン１７が取り付けられている。内蓋パッキン１７は、ゴムなどの弾性体で構成されている。
【００２９】
蓋本体３の外表面には、炊飯のメニュー、時間などの各種情報を表示する表示手段１８と、炊飯の開始、取り消し、予約などの実行を行うための操作ボタン１９が搭載されている。
【００３０】
２０は炊飯プログラムを記憶し実行するためのコンピューターで、前記送風手段１１の回転数を知らせるパルス出力をだす出力手段１１ｃの信号を読取り送風手段１１の回転数を検知する回転数検知手段２２（図示せず）を構成している。２３は本体が動作中のデーターを読み込みあるいは書き込みができる記憶手段を具備している。記憶手段２３には、あらかじめ、送風手段１１の回転異常閾値２３ｂが記憶されている。
【００３１】
操作ボタン１９の操作により、炊飯器本体１に内蔵された制御装置７に内蔵された炊飯プログラムが実行され、前記鍋加熱装置５、内蓋加熱コイル１０を炊飯プログラムの進行に合わせて動作、停止させて炊飯を実施するとともに、送風装置１１に関しても、制御装置７により、炊飯工程に連動して、動作、停止が制御されることとなる。
【００３２】
以上のように構成された炊飯器について、以下その動作、作用について説明する。
【００３３】
まず、鍋２内に所定の米と水をセットし、操作ボタン１９で、炊飯メニューを選択し、炊飯開始ボタンを押下することで、炊飯工程が開始される。炊飯工程は、水を一定温度に保って米に水を吸収させる浸せき工程、鍋２を鍋加熱装置５により一気に加熱し、鍋２内の水を沸騰状態にする炊き上げ工程、鍋２内の水がほとんどなくなった状態で加熱を抑える蒸らし工程からなり、これらの工程の間に米の糊化を進めて炊飯する。制御装置７は鍋底センサ５により鍋２の温度に応じて最適に鍋加熱装置５を制御し、あらかじめ決められた炊飯プログラムに従って炊飯を行う。炊飯プログラムは米の種類などによって複数のコースが準備されている。この蒸らし工程が終了すると炊飯が終了し、自動的に保温工程へと移行し、炊き上がったご飯の温度が低下しないようにして、使用者がいつでも温かいご飯を得られる。
【００３４】
炊飯プログラム実行による動作の詳細を以下に説明する。炊飯が開始されると、まず米に水を吸収させる浸せき工程が始まる。制御装置７は、鍋加熱装置５により鍋２を加熱し、鍋２内の水の温度を鍋底センサ５によって検知し、米の糊化が始まらない温度（約６０
℃未満）に調整して米の吸水を促進する。
【００３５】
炊き上げ工程では、米に水と熱を加えて糊化を進行させる。制御装置７は、鍋加熱装置５を動作させて鍋２を急速に加熱し、鍋２内の水を沸騰状態とする。このとき連続的に沸騰が生じて蒸気が大量に発生する。発生した蒸気が鍋２を充満すると、余分な蒸気は蒸気経路１６に入り込み、送風経路１５内に入り込む。制御装置７は、鍋２内の水が沸騰したことを鍋温度センサ６により検知し、ファン１１を動作させる。ファン１１は吸気口１２から外気を吸い込み、室温の空気を送風経路１５へと導入する。蒸気経路１６から送風経路１５へ導かれた蒸気は室温の空気と混合され、この空気と蒸気の混合流体が、蓋本体３の側面の排出口１３から外へと排出される。空気と混合することで、蒸気の濃度を低減することができるので、排出される混合流体の温度は低下する。
【００３６】
なお、蒸気経路１６は送風経路１５の底面に接続されているので、蒸気経路１６から排出された蒸気は空気よりも軽く自然と上方へと移動し、送風経路１５内で均一に空気と混ざりやすくなっている。
【００３７】
低温下で且つ湿度の高い環境下で炊飯した時などは、排気口１３部に排気された蒸気が結露し水滴が付着することがある。この場合、送風経路１５の抵抗が増加し機体のバラツキにより、送風手段１１の回転数が回転異常閾値２３ｂをも上回る場合がある。この時、排気の蒸気温度が所定温度よりも下回っている場合でも異常と判断し鍋加熱装置５通電を停止してしまい炊飯が停止してしまうためご飯が生炊きになる課題が生じることがあった。
【００３８】
この課題に対し、傾斜したリブ１３ａを設けこのリブ１３ａを閉止するようにしてメッシュ１４を溶着することによって、メッシュ１４を傾斜させることでメッシュ１４に付着した結露水を、速やかに落下させることができるため、送風経路１５の抵抗上昇を抑えることで誤検知を回避できる。
【００３９】
発明者らの実験によれば、低温化でかつ湿度の高い環境下で動作させた場合、メッシュ１４の傾斜が０°の時送風手段１１の回転数増加が、２９０ｒｐｍになったが、メッシュ１４の傾斜を１７°の時に回転数増加は１５０ｒｐｍに抑えることができた。
【００４０】
また、送風手段１１に回転数検知手段を設け前記回転数検知手段の出力信号が所定の回転異常閾値を越えたときに、前記加熱手段の通電を停止し、送風手段の回転数を継続して検出し、所定時間検出した後に報知することにより、吸気口または排気口に異物が詰る等の現象が発生して送風手段の回転異常閾値になった時でも、加熱手段の通電を停止することで排気の温度があがることは無い。また、加熱手段の通電を止めることで発生する蒸気量が少なくなり、通風手段を所定時間継続させて動作させることで、前記メッシュ部に水滴が付着した露が落下しやすくなり、送風手段の回転数が下がる。前記回転数が異常回転数を下回った時は、通常の炊飯工程に復帰させることで誤検知を回避できる。
【００４１】
また、本実施の形態は、蓋本体３に、送風手段１１、送風経路１５を設置しているので蓋本体３の重量は増加するが、送風手段１１、送風経路１５をヒンジ軸Ａに近い場所に配置し、重心がヒンジ軸Ａに近づいているので、蓋本体３を開く際に必要な力を小さくすることができ、蓋本体３の回動バネ（図示せず）の力を増やす必要がなくなる。このことにより、回動バネの力が大きいと蓋本体３が炊飯器本体１に対して略９０度の角度まで開ききった場合に大きな力が働いて、鍋２が空の場合には炊飯器本体１が浮き上がってしまいがちになるという不具合も低減することができ、使い勝手の良い炊飯器を提供することができる。
【００４２】
また、蓋本体３の後半部分に送風手段１１、送風経路１５を収めているので、蓋本体３後半の厚みは増えるが、前半部は厚みが増えることはなく、蓋本体３の大型化を最小限に留めることができる。
【００４３】
以上の構成により、本実施の形態の炊飯器は、空気と蒸気の混合流体を排出する排気口１３を蓋本体３の横側面に設置し、排気口１３に排気方向規制手段１４を設けることで、横側面の排気口１３から斜め前方向に混合気流を排出することができ、棚の中に炊飯器本体を収納して炊飯しても、棚内に蒸気が滞留しにくく、棚材の劣化、制御手段７への悪影響を低減した炊飯蒸気の冷却機能を備えた炊飯器を提供することが可能となる。また、送風手段１１、送風経路１５を蓋本体３の後半部分に組み込んで、蓋本体３の大型化を抑え、さらに重心をヒンジ軸Ａに近づけているので、蓋本体３の回動バネを強くする必要が無く、蓋開操作時に炊飯器本体１が浮くなどの不具合が無く、使い勝手も良い炊飯蒸気の冷却機能を備えた炊飯器を提供できる。
【００４４】
なお、送風手段１１から排出される空気が排気口１３に向けてほぼ直線に流れる構成であるため、送風手段１１が有する単体の送風性能に対して、蓋本体３内に組み込んだ場合の送風性能の低下を最小限に抑えることができるので、排気方向規制手段１４により圧力損失増加し風量が低下しても、十分な蒸気冷却性能を確保することができる。
【００４５】
なお、本実施の形態は、吸気口１２および排気口１３を蓋本体３の横側面に設けることによって、誤って蓋本体３上方から液体などが落下した場合でも送風経路１５に落下した液体などが進入して送風手段１１に液体などが付着することを低減することができる。
【００４６】
なお、送風手段１１を蓋本体３の後部左に、排気口１３を蓋本体３の後部右側面に配置したが、逆に、送風手段１１を蓋本体３の後部右、排気口１３を蓋本体３の後部左側面に配置する構成をとってもよく、両方の仕様を用意することで、使用者が炊飯器の設置環境に合わせて利便性のある仕様を任意に選択することができる。
【００４７】
なお、蒸気経路１６の少なくとも一部は着脱自在に設けられていると、おねばの通りやすい通路である、蒸気経路１６のお手入れが容易に可能となるのでよいし、蒸気経路１６の着脱はできなくとも蓋を設けて、汚れやすい部分のお手入れ行うときに蓋を開けることで可能となるような構成でもよい。
【００４８】
なお、送風手段１１は蒸気の排出時に動作して、蒸気の濃度を下げることができれば、鍋温度センサ６の検知温度に依存せず、炊き上げ工程に入って一定温度で動作を開始、または内蓋温度センサ９など他のセンサの検知温度によって動作開始でもよい。
【００４９】
なお、送風経路１５の少なくとも一部は着脱自在に設けられていると、通常よりも多い水量で炊飯された場合など異常使用時におねばや水が送風経路１５に入り込んだ場合でも、お手入れが容易となるのでよいし、送風経路１５の着脱はできなくとも蓋を設けて、汚れやすい部分のお手入れ時に蓋を開けることで可能となるような構成でもよい。
【００５０】
なお、蒸気経路１６は送風経路１５の底面と接続しているが、送風経路１５の側面の底面近くでも同様の効果が見込めるし、送風経路１５のその他の部分に接続してリブを付加するなどしても蒸気と空気が略均一に混合できればよい。
【００５１】
なお、吸気口１２は送風手段１１の種類に合わせて送風手段１１の性能が十分発揮できるように圧力損失が少なくなるように設ければよく、位置や形状は異なってもよい。また、蓋本体３内部は気密空間になっていないことが多く、外気とどこかでつながっているので、送風手段１１の送風に支障がなければ、吸気口１２を特に設けることなく、従来から
存在する蓋本体３と外気との連通した隙間を吸気口１２としてもよい。
【産業上の利用可能性】
【００５２】
以上のように、本発明にかかる炊飯器は、蒸気の冷却機能に関するものであるので、他の蒸気を排出する調理機器の用途にも適用できる。
【符号の説明】
【００５３】
１  炊飯器本体
１ａ  鍋収納部
２  鍋
３  蓋本体
５  鍋加熱装置（鍋加熱手段）
７  制御装置
１１  送風手段
１２  吸気口
１３  排気口
１３ａ  排気口リブ（リブ）
１４  メッシュ
１５  送風経路
１６  蒸気経路
【図１】
0005560804.tif 000002
【図２】
0005560804.tif 000003
【図４】
0005560804.tif 000004
【図５】
0005560804.tif 000005
【図３】
0005560804.tif 000006